(57)【要約】【課題】住宅情報盤が留守モード時にある場合に、警報監視盤からの呼出に対しても、自動応答をして、その後、警報監視盤からのメッセージを受け付けて記録できる新規な機能を備えた集合住宅管理通話システムを提供する。【解決手段】住宅情報盤は、通常モードと留守モードとを切換設定する手段と、呼出元からのメッセージを記録手段に記録させるメッセージ録音モードを実行する制御手段とを備え、制御手段は、留守モードの実行時に、警報監視盤からの呼出を判別したときには、それに応答した後、警報監視盤から送出されて来るメッセージを、記録手段に記録させる構成にしている。【選択図】図１
2005191854.tif 000002
【特許請求の範囲】
【請求項１】
管理人室などに設置された警報監視盤と、共同玄関などに設置されたロビーインターホンと、各住戸に設置された住宅情報盤とを組み合わせて構成した集合住宅管理通話システムにおいて、
上記住宅情報盤は、
通常モードと留守モードとを切換設定する手段と、
呼出元からのメッセージを記録手段に記録させるメッセージ録音モードを実行する制御手段とを備え、
上記制御手段は、留守モードの実行時に、上記警報監視盤からの呼出を判別したときには、それに応答した後、上記警報監視盤から送出されて来るメッセージを、上記記録手段に記録させる構成にしている集合住宅管理通話システム。
【請求項２】
請求項１において、
上記制御手段は、通常モードの実行時に、上記警報監視盤からのメッセージ録音指令を判別したときには、その後に送信されて来るメッセージを上記記録手段に記録させる構成にしている集合住宅管理通話システム。
【請求項３】
管理人室などに設置された警報監視盤と、共同玄関などに設置されたロビーインターホンと、各住戸に設置された住宅情報盤とを組み合わせて構成した集合住宅管理通話システムにおいて、
上記住宅情報盤は、メッセージの有無を表示するメッセージ有無表示手段と、上記警報監視盤からのメッセージ通知指令を判別したときには、上記メッセージ有無表示手段にメッセージ有りを表示させる制御手段とを備えており、
上記警報監視盤は、呼出先となる住宅情報盤に上記メッセージ通知指令を送出し、かつ、その住宅情報盤に送出すべきメッセージを、該警報監視盤本体に設けた記録手段に記録する構成とされている、集合住宅管理通話システム。
【請求項４】
管理人室などに設置された警報監視盤と、共同玄関などに設置されたロビーインターホンと、各住戸に設置された住宅情報盤とを組み合わせて構成した集合住宅管理通話システムにおいて、
上記住宅情報盤は、メッセージの有無を表示するメッセージ有無表示手段と、上記ロビーインターホンからのメッセージ通知指令を判別したときには、上記メッセージ有無表示手段にメッセージ有りを表示させる制御手段とを備えており、
上記ロビーインターホンは、呼出先となる住宅情報盤に上記メッセージ通知指令を送出し、かつ、その住宅情報盤に送出すべきメッセージを、該ロビーインターホンに設けた記録手段に記録する構成とされている、集合住宅管理通話システム。
【請求項５】
共同玄関などに設置されたロビーインターホンと、各住戸に設置された住宅情報盤とを組み合わせて構成した集合住宅管理通話システムにおいて、
上記住宅情報盤は、通話線で接続された他の住宅情報盤からのメッセージを、記録手段に記録させ、かつ該記録手段から読み出して再生する機能を備えており、
上記制御手段は、他の住宅情報盤からメッセージ録音指令を判別したときには、その後に、他の住宅情報盤から送信されて来るメッセージを上記記録手段に記録させるとともに、再生指令を受付けたときには、上記記録手段に記録されたメッセージを再生出力させる構成にしている、集合住宅管理通話システム。
【請求項６】
管理人室などに設置された警報監視盤と、共同玄関などに設置されたロビーインターホンと、各住戸に設置された住宅情報盤とを組み合わせて構成した集合住宅管理通話システムにおいて、
上記警報監視盤は、
呼出元からのメッセージを記録手段に記録させるメッセージ録音モードを実行する制御手段を備えており、
上記制御手段は、上記ロビーインターホン、上記住宅情報盤の少なくともいずれかからの呼出に対して応答処理がなかったときには、上記呼出元に対して応答した後、その呼出元から送出されるメッセージを、上記記録手段に記録させる構成にしている集合住宅管理通話システム。
【請求項７】
管理人室などに設置された警報監視盤と、共同玄関などに設置されたロビーインターホンと、各住戸に設置された住宅情報盤とを組み合わせて構成した集合住宅管理通話システムにおいて、
上記警報監視盤は、
通常モードと留守モードとを切換設定する手段と、
呼出元からのメッセージを記録手段に記録させるメッセージ録音モードを実行する制御手段とを備え、
上記制御手段は、留守モード時に、上記ロビーインターホン、上記住宅情報盤の少なくともいずれかからの呼出があったときには、その呼出元から送出されるメッセージを、上記記録手段に記録させる構成にしている集合住宅管理通話システム。
【発明の詳細な説明】
【技術分野】
【０００１】
本発明は、集合住宅管理通話システムの改良に関する。
【背景技術】
【０００２】
近時、集合住宅などにおいては、特許文献１に示すような集合住宅管理通話システムが使用されている。このものでは、少なくとも、管理人室に設置した警報監視盤、集合玄関に設置したロビーインターホン、各住戸に設置され、ドアホン子器を接続した住宅情報盤とを組み合わせて構成されている。
【０００３】
住宅情報盤は、住人の操作設定によって、通常モードと留守モードとを切り替えることができる。通常モードにおいては、少なくとも、ロビーインターホン、ドアホン子器のいずれかから呼出を受けたときには、所定時間呼出音を鳴動し、住人による応答操作があれば呼出元との通話路が形成されて通話可能状態となる。
【０００４】
一方、留守モードにおいては、少なくとも、ロビーインターホン、ドアホン子器のいずれかから呼出を受けたときには、それに応答した後、所定の応答メッセージを送出して呼出元から鳴動させ、呼出元から送出されてくるメッセージを録音するようにしている。
【特許文献１】特開平８−３２２０３８号公報
【発明の開示】
【発明が解決しようとする課題】
【０００５】
しかしながら、上記した従来のシステムでは、住宅情報盤は、留守モード時に警報監視盤から呼出を受けたときには、上記したような処理はせず、通常モード時のような呼出処理を行い、管理人から用件があれば、警報監視盤の操作によって、住宅情報盤のＬＥＤ表示などにより、管理人からの何らかの用件がある旨を通知するようにしていた。
【０００６】
そのため、管理人は、呼出に対する応答がない事実をもって住人の不在を確認することになり住人の外出状況を把握しにくく、帰宅した住人は、その用件が何であるかを管理人の元に連絡して確認せざるを得ず、不便であった。
【０００７】
本発明は、このような事情を考慮して提案されるものであって、住宅情報盤が留守モード時にある場合に、警報監視盤からの呼出に対しても、自動応答をして、その後、警報監視盤からのメッセージを受け付けて記録できる新規な機能を備えた集合住宅管理通話システムを提供することを目的とする。
【課題を解決するための手段】
【０００８】
上記目的を達成するために、本発明の請求項１では、住宅情報盤は、通常モードと留守モードとを切換設定する手段と、呼出元からのメッセージを記録手段に記録させるメッセージ録音モードを実行する制御手段とを備え、制御手段は、留守モードの実行時に、警報監視盤からの呼出を判別したときには、それに応答した後、警報監視盤から送出されて来るメッセージを、記録手段に記録させる構成にしている。
請求項２では、制御手段は、通常モードの実行時に、警報監視盤からのメッセージ録音指令を判別したときには、その後に送信されて来るメッセージを記録手段に記録させる構成にしている。
【０００９】
請求項３では、住宅情報盤は、メッセージの有無を表示するメッセージ有無表示手段と警報監視盤からのメッセージ通知指令を判別したときには、メッセージ有無表示手段にメッセージ有りを表示させる制御手段とを備えており、警報監視盤は、呼出先となる住宅情報盤にメッセージ通知指令を送出し、かつ、その住宅情報盤に送出すべきメッセージを、該警報監視盤本体に設けた記録手段に記録する構成とされている。
請求項４では、住宅情報盤は、メッセージの有無を表示するメッセージ有無表示手段と、ロビーインターホンからのメッセージ通知指令を判別したときには、メッセージ有無表示手段にメッセージ有りを表示させる制御手段とを備えており、ロビーインターホンは、呼出先となる住宅情報盤にメッセージ通知指令を送出し、かつ、その住宅情報盤に送出すべきメッセージを、該ロビーインターホンに設けた記録手段に記録する構成とされている。
【００１０】
請求項５では、住宅情報盤は、通話線で接続された他の住宅情報盤からのメッセージを、記録手段に記録させ、かつ該記録手段から読み出して再生する機能を備えており、制御手段は、他の住宅情報盤からメッセージ録音指令を判別したときには、その後に、他の住宅情報盤から送信されて来るメッセージを上記記録手段に記録させるとともに、再生指令を受付けたときには、上記記録手段に記録されたメッセージを再生出力させる構成にしている。
【００１１】
請求項６では、警報監視盤は、呼出元からのメッセージを記録手段に記録させるメッセージ録音モードを実行する制御手段を備えており、制御手段は、ロビーインターホン、住宅情報盤の少なくともいずれかからの呼出に対して応答処理がなかったときには、呼出元に対して応答した後、その呼出元から送出されるメッセージを、記録手段に記録させる構成にしている。
請求項７では、警報監視盤は、通常モードと留守モードとを切換設定する手段と、呼出元からのメッセージを記録手段に記録させるメッセージ録音モードを実行する制御手段とを備え、制御手段は、留守モード時に、ロビーインターホン、住宅情報盤の少なくともいずれかからの呼出があったときには、その呼出元から送出されるメッセージを、記録手段に記録させる構成にしている。
【発明の効果】
【００１２】
本発明の請求項１によれば、住宅情報盤は、留守モード時に、警報監視盤から呼出があったときには、それに応答後、警報監視盤から送出されてくるメッセージを記録するので、管理人は住人が留守であることを容易に確認でき、帰宅した住人も、管理人からのメッセージをその場で確認でき、利便である。
【００１３】
請求項２では、住宅情報盤は、通常モード時に、警報監視盤からのメッセージ記録指令を判別したときには、その後に送出されてくるメッセージを記録するため、留守モードだけではなく、従来はメッセージを記録できなかった通常モードにおいても、メッセージ記録ができるため、利便である。
【００１４】
請求項３では、警報監視盤は、呼出先となる住宅情報盤にメッセージ通知指令を送った後、その住宅情報盤に送出すべきメッセージを記録手段に警報監視盤自身に記録し、呼出先の住宅情報盤では、上記警報監視盤からメッセージ通知指令を受け取ってメッセージ有を表示し、帰宅した住人がこの表示を見て、所定操作をして再生指示を送れば、警報監視盤に記録されたメッセージが当該住宅情報盤に送出されて再生される。
【００１５】
そのため、呼出先となる住宅情報盤が他の住宅情報盤などと通話中で通話路が塞がっていても、その住宅情報盤に対して、メッセージ有りを通知でき、通話が終わった住人がこの通知を確認して、警報監視盤に記録されているメッセージを再生し確認できるので、利便にできる。
【００１６】
請求項４では、ロビーインターホンは、呼出先となる住宅情報盤にメッセージ通知指令を送り、その住宅情報盤に送出すべきメッセージを記録手段にロビーインターホン自身に記録し、呼出先の住宅情報盤では、上記ロビーインターホンからメッセージ通知指令を受け取ってメッセージ有を表示し、帰宅した住人がこの表示を見て、所定操作をして再生指示を送れば、ロビーインターホンに記録されたメッセージが当該住宅情報盤に送出されて再生される。
【００１７】
そのため、呼出先となる住宅情報盤が他の住宅情報盤などと通話中で通話路が塞がっていても、その住宅情報盤に対して、メッセージ有りを通知でき、通話が終わった住人がこの通知を確認して、ロビーインターホンに記録されているメッセージを再生し確認できるので、利便にできる。
【００１８】
請求項５では、住宅情報盤は、他の住宅情報盤からメッセージ記録指令を受けたときには、他の住宅情報盤からのメッセージを記録し、所定の再生指示がされると、記録したメッセージを再生するため、住戸間でのメッセージ伝達が可能となり、利便である。
【００１９】
請求項６では、警報監視盤は、少なくとも、ロビーインターホン、住宅情報盤のいずれかから呼出を受け、応答処理がなかったときには、自動応答後、その呼出元からのメッセージを記録するので、管理人が不在の場合でも、ロビーインターホン、住宅情報盤側からメッセージを伝達することができ、利便である。
【００２０】
請求項７では、警報監視盤でも通常モードと留守モードとを切換設定でき、留守モード時においては、少なくとも、ロビーインターホン、住宅情報盤からの呼出に対して、自動応答後、ロビーインターホン、住宅情報盤側からのメッセージを記録するため、緊急の用事などのため、管理人が管理室を留守にした場合でも、ロビーインターホン、住宅情報盤からのメッセージを確実に伝達できる。
【発明を実施するための最良の形態】
【００２１】
以下に、本発明の実施の形態について説明する。
【実施例１】
【００２２】
図１は、本発明システムの概略構成の一例を示している。
【００２３】
このものは、各住戸には住宅情報盤１を設置し、共同玄関にはロビーインターホン４を設置し、管理人室には警報監視盤５を設置している。そして、集合住宅の適所には映像制御盤３を設置している。
【００２４】
住宅情報盤１の各々は、制御線、通話線、映像線を束ねた伝送ラインＬ１を通じて映像制御盤３、その住宅情報盤１の設置される住戸の玄関先のドアホン子器６に接続され、映像制御盤３は映像線で構成された伝送ラインＬ３を通じてロビーインターホン４に接続されるとともに、制御線、通話線を束ねた伝送ラインＬ２を通じて警報監視盤５に接続される。
【００２５】
また、ロビーインターホン４と警報監視盤５とは、先述した、制御線、通話線を束ねた伝送ラインＬ２を通じて相互に接続される。
【００２６】
図２は、本発明システムで用いられる住宅情報盤の内部構成の一例を示す図である。この住宅情報盤１は、制御手段を構成するマイコン１０、モニタテレビ１１、録画回路１２、制御線、通話線、映像線を束ねた伝送ラインＬ１を通じて各種信号を伝送するための伝送入出力回路１３、伝送ラインＬ１を通じて入力された映像信号を制御するために設けられ、モニタテレビ１１に映像信号を出力して表示させたり、録画回路１２に出力して録画させる機能をなす映像制御回路１４、伝送ラインＬ１を通じてドアホン子器６の制御をするドアホン制御回路１５、各呼出元との間での、マイクＭＩとスピーカＳＰを用いた通話を制御するための通話制御回路１６、ＩＣメモリや録音テープなどで構成されてメッセージ記録手段を構成し、呼出元から入力された音声メッセージを録音する録音回路１７、非常時に警報出力する警報音出力回路１８、警報監視盤５から音声警報を受信し、これをスピーカＳＰから出力させる音声警報入力回路１９、各種操作キーなどで構成され、通常モードと留守モードとを切換設定するモード切換スイッチ２０Ａを有する操作部２０、ＬＥＤなどを有し、メッセージ有無表示手段を構成する表示部２１を備える。
【００２７】
この住宅情報盤１は、先述したように、通常モード、留守モードがモード切換スイッチ２０Ａでの選択操作により選択できる。各々のモード処理については後述する。
【００２８】
図３は、映像制御盤３の内部構成の一例を示す図である。この映像制御盤３は、ロビーインターホン４から映像信号を伝送ラインＬ３を通じて入力する映像入力回路３０、伝送ラインＬ１を通じて、映像入力回路３０で入力され、伝送ラインＬ１に出力すべき映像信号を増幅する映像増幅回路３１を備える。
【００２９】
図４は、ロビーインターホン４の内部構成の一例を示す図である。このロビーインターホン４は、制御手段を構成し、以下の構成要素を制御するマイコン４０、伝送ラインＬ２、Ｌ３を通じた各種信号の伝送をするための伝送入出力回路４１、各種操作キーを有するキースキャン回路４２、表示回路４３、カメラ４７での撮影によって形成された映像信号を制御する映像制御回路４４と、呼出先との間でマイクＭＩとスピーカＳＰを使用した通話をするための通話制御回路４５、ＩＣメモリや録音テープなどで構成されてメッセージ記録手段を構成する録音回路４６を備える。
【００３０】
図５は、警報監視盤５の内部構成の一例を示す図である。この警報監視盤５は、制御手段を構成し、この警報監視盤５を制御するマイコン５０と、伝送ラインＬ１を通じて各種信号を伝送するための伝送入出力回路５１、後述するメッセージ録音指令などのための各種操作キーを有するキースキャン回路５２、表示回路５３、通話制御回路５４、ＩＣカードや録音テープなどで構成されてメッセージ記録手段を構成する録音回路５５、警報音出力回路５６、各住宅情報盤１に音声警報を出力する音声警報出力回路５７を備える。
【００３１】
図６は、ドアホン子器６の内部構成の一例を示す図である。このドアホン子器６は、このドアホン子器６を制御するＣＰＵ６０、伝送ラインＬ１を通じて各種信号の伝送をするための伝送入出力回路６１、映像制御回路６２、通話制御回路６４、カメラ６３、マイクＭＩ、スピーカＳＰ、ＩＣメモリや録音テープなどで構成されてメッセージ記録手段を構成する録音回路６５を備える。
これら、ロビーインターホン４、警報監視盤５、ドアホン子器６の各々は、通話したい相手先を指定して、図示しない呼出釦を操作し、その相手先を呼び出したとき、その相手先から、音声メッセージ入力を促す信号を受信すればマイクＭＩを通じたメッセージ入力を受け付けて、入力されたメッセージを相手先に送出する機能を有する。
【００３２】
また、このとき、後述するような応答メッセージ（応答音）が、音声メッセージ入力を促す信号とともに受信されたときには、音声メッセージ入力を受け付ける前に、受信した応答メッセージをスピーカＳＰより出力する。
【００３３】
なお、本発明システムにおいては、メッセージ記録とは、音声メッセージの録音のことを例示しているが、これには限られず、文字メッセージなど、音声メッセージ以外の記録であってもよい。
【００３４】
このような構成の本発明システムの特徴的な処理について、図７のフローチャートとともに説明する。
すなわち、住宅情報盤１は、先述したような選択操作によって、通常モードと留守モードとを切換できる。留守モード時には以下のような処理をなす。この留守モードは、モード切換スイッチ２０Ａの操作によるときのみならず、通常モード時に所定時間呼び出しをしても応答がなかった場合に、自動的に留守モードに切り替えるようにしてもよい。
ロビーインターホン４、警報監視盤５、他の住宅情報盤１、ドアホン子器６での呼出操作により、いずれかの住宅情報盤１を呼び出したときには（１００）、呼出を受けた住宅情報盤１は呼出元を判定する（１０１）。
すなわち、ロビーインターホン４、警報監視盤５、他の住宅情報盤１から呼出を受けたときには、呼出元の機種識別コードが送出されてくるから、そのコードに対応する呼出元を、端末器種別登録テーブル（不図示）を参照して判定する。一方、ドアホン子器６から呼出を受けたときには、住宅情報盤１には直接伝送ラインＬ１を通じて接続されているから、識別コードと対応付けて登録しなくても、ドアホン子器６からの呼出であると判定できる。
そして、呼出元が警報監視盤５ではないと判定すると（１０２）、従来から実行しているような留守応答、つまり、自動応答後、応答メッセージ受付録音をする（１０３）。
一方、呼出元が警報監視盤５であると判定すると（１０２）、応答メッセージ（応答音でもよい）を警報監視盤５に送出する（１０４）。これとともに、メッセージ入力を受け付けるための制御信号を呼出元に出力する。
すると、警報監視盤５と住宅情報盤１との間では通話路が形成された状態となり、警報監視盤５では送出した応答メッセージ（応答音）が出力され、メッセージ入力機能を実行するようになる。この状態で、警報監視盤５からメッセージ入力がされたときにはそのメッセージを録音する（１０５）。そして、終了処理をして通話路を開放する（１０６）。
一方、通常モード時には、住宅情報盤１は、図８に示すような処理をなす。すなわち、ロビーインターホン４、警報監視盤５、他の住宅情報盤１、ドアホン子器６での呼出操作により、いずれかの住宅情報盤１を呼び出したときには（２００）、呼出を受けた住宅情報盤１は呼出元を判定する（２０１）。
ロビーインターホン４、警報監視盤５、他の住宅情報盤１から呼出を受けたときには、呼出元の機種識別コードが送出されてくるから、そのコードに対応する呼出元を、端末器種別登録テーブル（不図示）を参照して判定する。
一方、ドアホン子器６から呼出を受けたときには、住宅情報盤１には直接伝送ラインＬ１を通じて接続されているから、識別コードと対応付けて登録しなくても、ドアホン子器６からの呼出であると判定できる。
そして、呼出元が警報監視盤５であると判定すると（２０２）、警報監視盤５からメッセージ録音指令がきているか判定する（２０３）。このメッセージ録音指令は、メッセージ記録のうちの一概念であるメッセージ録音を指令するための信号を意味し、警報監視盤５の所定操作によりそのＣＰＵ５０の機能により送出されるものである。
メッセージ録音指令がきていると判定すると、警報監視盤５との通話路を形成してメッセージ入力を受け付けて、その後、警報監視盤５から送出されてくるメッセージを録音する（２０４）。そして、終了処理をして通話路を開放する（２０５）。なお、ステップ２０５の終了処理を始めるタイミングとしては、録音開始してからタイマ計測を始め所定時間経過すると終了処理を始める手法、あるいは、住人がメッセージ入力を終えたら「＃」キーの操作などにより強制的に終了処理を開始させる手法などを取ればよい。
一方、警報監視盤５からの呼出ではなかったり（２０２のＮ）、警報監視盤５からの呼出であっても録音指令がきていないない場合には（２０３のＮ）、通常処理、つまり、従来から実行しているように、所定時間呼びだし、応答があれば通話路を形成する処理をなす（２０６）。
【実施例２】
【００３５】
図９は、本発明システムの第２実施例について説明するための図である。この実施例２では、ロビーインターホン４または警報監視盤５から住宅情報盤１を呼び出した際、呼出先の住宅情報盤１が通話中であって通話路が塞がっている場合でも、呼出先の住人に用件を伝達できる。
すなわち、ロビーインターホン４または警報監視盤５から用事があり、住宅情報盤１を呼び出した際、その住宅情報盤１の通話路が塞がっている場合には、住宅情報盤１からは報知音を鳴動させ、呼出元では、応答メッセージ（応答音でもよい）鳴動後、メッセージ録音処理に入る。このとき、呼出元では、マイクＭＩを通じて入力されたメッセージが、録音回路４６、５５に録音される。録音が終了すれば終了処理に入り、住宅情報盤１に対してメッセージ通知指令を送出する。なお、録音終了処理を始めるタイミングとしては、録音開始してからタイマ計測を始め所定時間経過すると終了処理を始める手法、あるいは、住人がメッセージ入力を終えたら「＃」キーの操作などにより強制的に終了処理を開始させる手法などを取ればよい。
すると、住宅情報盤１では、表示部２１にメッセージ有が表示され、通話の終わった住人が所定の再生操作をすると、再生指示信号を送出して、ロビーインターホン４または警報監視盤５に再生指示をなす。再生指示を受けたロビーインターホン４または警報監視盤５は、録音回路４６、５５よりメッセージを読み出し、その住宅情報盤１との通話路を形成してそのメッセージを送出する。これを受けた住宅情報盤１はスピーカＳＰよりメッセージを出力する。
【実施例３】
【００３６】
図１０は、本発明システムの第３実施例について説明するための図である。この実施例３では、住宅情報盤同士でメッセージ伝達ができる。すなわち、操作部２０の所定操作により、住宅情報盤１（＃１）で呼出先の他の住宅情報盤１（＃２）を指定し、送出すべきメッセージの録音を行えば、その呼出先（＃２）に対して、メッセージ録音指令信号を送出する。
【００３７】
これを受けた他の住宅情報盤１（＃２）は、住宅情報盤１（＃１）からのメッセージ送出を受け付け、送出されてきたメッセージを録音回路１７に録音し、メッセージ有を表示部２１により通知する。
【００３８】
これを見た住宅情報盤１（＃２）側の住人は、所定の再生操作をすれば、その住宅情報盤２（＃２）の録音回路１７に録音させているメッセージを再生する。
【実施例４】
【００３９】
図１１、１２は、本発明システムの第４実施例について説明するための図である。この実施例４では、住宅情報盤１あるいはロビーインターホン４の側から警報監視盤５を呼び出した際に、管理人などが急用などのため不在の場合でも確実にメッセージ伝達ができる。
【００４０】
すなわち、図１１では、住宅情報盤１またはロビーインターホン４から警報監視盤５を呼び出した際、所定時間の間に応答がなかった場合には、警報監視盤５は自動応答し通話路を形成して応答メッセージ（応答音でもよい）を送出するとともに、メッセージ入力を受け付けるための制御信号を出力する。
すると、これを受けた呼出元では、警報監視盤５からの応答メッセージ（応答音）が出力され、マイクＭＩを通じたメッセージ入力が可能となり、入力されたメッセージを警報監視盤５に送出する。警報監視盤５では、送出されたメッセージを録音回路５５に録音する。録音回路５５に録音されたメッセージは、警報監視盤５での所定操作により再生可能である。
また、図１２では、警報監視盤５では、キースキャン回路の操作キーの所定操作により、通常モード、留守モードの設定ができるようにしており、通常モードでは、従来と同様に、所定時間管理人を呼び出すのみではあるが、留守モード時に、住宅情報盤１あるいはロビーインターホン４の側から呼出を受けた場合には、自動応答をして応答メッセージを送出し、住宅情報盤１あるいはロビーインターホン４で入力されたメッセージを警報監視盤５が録音する処理をなす。
【図面の簡単な説明】
【００４１】
【図１】本発明システムの概略構成の一例を示す図
【図２】本発明システムで用いられる住宅情報盤の内部構成の一例を示す図
【図３】本発明システムで用いられる映像制御盤の内部構成の一例を示す図
【図４】本発明システムで用いられるロビーインターホンの内部構成の一例を示す図
【図５】本発明システムで用いられる警報監視盤の内部構成の一例を示す図
【図６】本発明システムで用いられるドアホン子器の内部構成の一例を示す図
【図７】第１実施例の留守モード時の動作の一例について説明するためのフローチャート
【図８】第１実施例の通常モード時の動作の一例について説明するためのフローチャート
【図９】第２実施例の動作の一例について説明するための図
【図１０】第３実施例の動作の一例について説明するための図
【図１１】第４実施例の動作の一例について説明するための図
【図１２】第４実施例の動作の他例について説明するための図
【符号の説明】
【００４２】
１  住宅情報盤
４  ロビーインターホン
５  警報監視盤
１０，４０，５０  ＣＰＵ
１７，４６，５５  録音回路
２０  操作部
２０Ａ  モード切換スイッチ
２１  表示部
【図１】
2005191854.tif 000003
【図２】
2005191854.tif 000004
【図３】
2005191854.tif 000005
【図４】
2005191854.tif 000006
【図５】
2005191854.tif 000007
【図６】
2005191854.tif 000008
【図７】
2005191854.tif 000009
【図８】
2005191854.tif 000010
【図９】
2005191854.tif 000011
【図１０】
2005191854.tif 000012
【図１１】
2005191854.tif 000013
【図１２】
2005191854.tif 000014